(57)【要約】【課題】血液の外部への漏出を効果的に防止する、新規な構造の隔壁付きハブ組立体を提供する。【解決手段】隔壁付きハブ組立体１０において、隔壁２０はディスク状に形成されて、隔壁２０の外周部分にはハブ１６の内周側に位置して周方向に延びる環状凹溝５８が形成されており、環状凹溝５８よりも内周に位置する中央部分５６にスリット１８が形成されている一方、押し子ガイド２４における隔壁２０側の軸方向先端部或いは押し子２２における隔壁２０側の軸方向先端部において環状凹溝５８内に入り込む保持部５４が形成されている。【選択図】図５
2019022861.tif 000002
【特許請求の範囲】
【請求項１】
流体通路を構成するハブの内部にスリット付きの隔壁が装着されていると共に、該隔壁に対して一方の側に筒状の押し子が配されて、該ハブの内周に組み付けられた押し子ガイドにより該押し子が該流体通路の長さ方向で所定距離移動可能とされており、該押し子が該隔壁の該スリットに押し入れられることで該隔壁が連通されるようになっている隔壁付きハブ組立体において、
前記隔壁はディスク状に形成されて、該隔壁の外周部分には前記ハブの内周側に位置して周方向に延びる環状凹溝が形成されており、該環状凹溝よりも内周に位置する中央部分に前記スリットが形成されている一方、
前記押し子ガイドにおける該隔壁側の軸方向先端部或いは前記押し子における該隔壁側の軸方向先端部において該環状凹溝内に入り込む保持部が形成されていることを特徴とする隔壁付きハブ組立体。
【請求項２】
前記保持部が前記押し子ガイドにおける前記隔壁側の軸方向先端部に形成されており、
該隔壁の外周部分において前記流体流路の長さ方向で前記押し子側に向かって突出する環状突部が形成されていると共に、前記環状凹溝が該環状突部の内周に沿って形成されており、
該保持部と前記ハブの内周面との間で該隔壁の該環状突部が保持されている請求項１に記載の隔壁付きハブ組立体。
【請求項３】
前記流体通路の長さ方向において、前記中央部分よりも前記環状突部のほうが大きく突出している請求項２に記載の隔壁付きハブ組立体。
【請求項４】
前記押し子ガイドの前記保持部と前記ハブとの間で前記隔壁の前記環状突部が圧縮状態で保持されている請求項２又は３に記載の隔壁付きハブ組立体。
【請求項５】
前記環状凹溝に挿し入れられた前記押し子ガイド或いは前記押し子の前記保持部と、該環状凹溝の内周側の壁面との間には、隙間がある請求項１〜４の何れか１項に記載の隔壁付きハブ組立体。
【請求項６】
流体通路を構成するハブの内部にスリット付きの隔壁が装着されており、ハブの基端側から雄ルアー等が挿入されることによって、該隔壁のスリットが開かれるようになっている隔壁付きハブ組立体において、
前記隔壁はディスク状に形成されて、該隔壁の外周部分には前記ハブの内周側に位置して周方向に延びる環状凹溝が形成されており、該環状凹溝よりも内周に位置する中央部分に前記スリットが形成されていることを特徴とする隔壁付きハブ組立体。
【発明の詳細な説明】
【技術分野】
【０００１】
本発明は、医療分野での輸液や輸血、人工透析等に際して血管等への穿刺状態に留置されて用いられる、隔壁付きのハブ組立体に関するものである。
【背景技術】
【０００２】
従来から、輸液や採血、血液透析等を行うための医療器具の一種として、隔壁付きハブ組立体が知られている。例えば特許第４９６４５９２号公報（特許文献１）に記載されたニードルアッセンブリ（１００）もその一つである。
【０００３】
ところで、かかる特許文献１に記載のニードルアッセンブリ（１００）では、ニードルハブ（１２０）内に、スリットを設けたディスク弁からなるシール（１４２）が組み込まれており、プランジャ（１４６）の移動でシール（１４２）のスリットが開閉されるようになっている。そして、シール（１４２）にプランジャ（１４６）を押し当ててスリットを開くことでハブ内の流体通路を連通状態に維持する一方、プランジャ（１４６）をシール（１４２）から離すことでシール（１４２）自体の弾性によりスリットが閉じられてハブ内の流体通路を遮断状態に維持して血液等の外部への漏れ出しを防止することができる。
【０００４】
ところが、このような従来構造のニードルアッセンブリ（１００）では、例えば留置針で血管に接続された状態で輸液等の流通方向に対して反対向きに大きな血圧が及ぼされると、シール（１４２）がプランジャの位置する基端側に膨らむように弾性変形してスリットの閉状態が維持されずに流体通路が開放されてしまい、血液がシール（１４２）よりも基端側に逆流して漏出するおそれがあった。
【０００５】
また、かかる問題に対処するためにシール（１４２）自体を厚肉にして、スリットを閉鎖状態に保持する弾性力を大きくすることも考えられるが、そうすると、プランジャを押し当ててスリットを開くに際してのシール（１４２）の抵抗力が大きくなって、流体通路を連通及び遮断する操作性が悪くなることから、有効な解決策とは言い難い。なお、上記説明文中の（）内符号は、特許文献１に記載のものである。
【先行技術文献】
【特許文献】
【０００６】
【特許文献１】特許第４９６４５９２号公報
【発明の概要】
【発明が解決しようとする課題】
【０００７】
ここにおいて、本発明は、上述の如き事情を背景として為されたものであって、その解決課題とするところは、血液等の外部への漏出を効果的に防止する、新規な構造の隔壁付きハブ組立体を提供することにある。
【課題を解決するための手段】
【０００８】
本発明の第１の態様は、流体通路を構成するハブの内部にスリット付きの隔壁が装着されていると共に、該隔壁に対して一方の側に筒状の押し子が配されて、該ハブの内周に組み付けられた押し子ガイドにより該押し子が該流体通路の長さ方向で所定距離移動可能とされており、該押し子が該隔壁の該スリットに押し入れられることで該隔壁が連通されるようになっている隔壁付きハブ組立体において、前記隔壁はディスク状に形成されて、該隔壁の外周部分に周方向に延びる環状凹溝が形成されており、該環状凹溝よりも内周に位置する中央部分に対して前記スリットが形成されている一方、前記押し子ガイドにおける該隔壁側の軸方向先端部或いは前記押し子における該隔壁側の軸方向先端部において該環状凹溝内に入り込む保持部が形成されていることを、特徴とする。
【０００９】
本態様に従う構造とされた隔壁付きハブ組立体では、ディスク状の隔壁において、押し子ガイド側に開口する環状凹溝が形成されていると共に、当該環状凹溝内に押し子ガイドの先端に設けられた保持部または押し子の先端に設けられた保持部が入り込んでいる。これにより、例えばハブ組立体の先端に外針が固着されて、留置針組立体における外針ユニットとして使用される場合において、かかる外針ユニットが患者の血管に穿刺された状態で留置されて、血圧により隔壁が押し子側に膨らむように弾性変形させられる際にも、環状凹溝の内周側壁面と押し子ガイドまたは押し子の保持部における内周面とが当接することで、それ以上の隔壁の弾性変形が制限される。これにより、隔壁のスリットを安定して閉鎖することができて、隔壁からの血液の漏出が効果的に防止され得る。
【００１０】
本発明の第２の態様は、前記第１の態様に係る隔壁付きハブ組立体であって、前記保持部が前記押し子ガイドにおける前記隔壁側の軸方向先端部に形成されており、該隔壁の外周部分において前記流体流路の長さ方向で前記押し子側に向かって突出する環状突部が形成されていると共に、前記環状凹溝が該環状突部の内周に沿って形成されており、該保持部と前記ハブの内周面との間で該隔壁の該環状突部が保持されているものである。
【００１１】
本態様に従う構造とされた隔壁付きハブ組立体では、隔壁の外周部分において、流体通路の長さ方向に突出する環状突部が形成されており、この環状突部が、押し子ガイドにおける保持部とハブの内周面との間で保持されていることから、例えば、単に隔壁を流体通路の長さ方向で押し子ガイドとハブとの間で挟持するだけでなく、流体通路の長さ方向と直交する方向においても隔壁に対する支持力を及ぼすことができる。これにより、例えばハブ組立体へ雄コネクタなどを挿入して押し子を隔壁に押し当てることによる流体通路の連通操作時において、押し子の押し当てにより隔壁に対して流体通路の長さ方向に大きな外力が及ぼされた際にも、ハブ組立体からの隔壁の位置ずれや組付位置からの脱落などが効果的に防止されて、隔壁がハブ内における初期の装着位置へ安定して保持され得る。
【００１２】
本発明の第３の態様は、前記第２の態様に係る隔壁付きハブ組立体であって、前記流体通路の長さ方向において、前記中央部分よりも前記環状突部のほうが大きく突出しているものである。
【００１３】
本態様に従う構造とされた隔壁付きハブ組立体では、流体通路の長さ方向における寸法が、中央部分よりも環状突部の方が大きくされている。これにより、環状突部の長さ寸法を十分に確保することができて、押し子ガイドにおける保持部とハブの内周面との挟み込みによる隔壁の保持効果が安定して発揮される。これと共に、中央部分の長さ寸法の増大が抑えられることから、雄コネクタなどの挿入に伴う隔壁の中央部分における弾性変形が容易に実現されて、雄コネクタなどが良好に挿入され得る。
【００１４】
本発明の第４の態様は、前記第２又は第３の態様に係る隔壁付きハブ組立体において、前記押し子ガイドの前記保持部と前記ハブとの間で前記隔壁の前記環状突部が圧縮状態で保持されているものである。
【００１５】
本態様に従う構造とされた隔壁付きハブ組立体では、環状突部が、押し子ガイドの保持部とハブの内周面との間で圧縮されていることから、環状突部の内外周面と、保持部の外周面およびハブの内周面との摩擦を大きくすることができて、雄コネクタなどの挿入時において隔壁が挿入方向に引っ張られる際にも、ハブ組立体内における隔壁の位置ずれや脱落が効果的に防止され得る。
【００１６】
本発明の第５の態様は、前記第１〜第４の何れかの態様に係る隔壁付きハブ組立体であって、前記環状凹溝に挿し入れられた前記押し子ガイド或いは前記押し子の前記保持部と、該環状凹溝の内周側の壁面との間には、隙間があるものである。
【００１７】
本態様に従う構造とされた隔壁付きハブ組立体では、隔壁や押し子ガイド、押し子などの各部材の要求精度を隙間によって軽減することができて、各部材の製造を容易とすることができる。
【００１８】
本発明の第６の態様は、流体通路を構成するハブの内部にスリット付きの隔壁が装着されており、ハブの基端側から雄ルアー等が挿入されることによって、該隔壁のスリットが開かれるようになっている隔壁付きハブ組立体において、前記隔壁はディスク状に形成されて、該隔壁の外周部分には前記ハブの内周側に位置して周方向に延びる環状凹溝が形成されており、該環状凹溝よりも内周に位置する中央部分に前記スリットが形成されていることを特徴とする、ものである。
【００１９】
本態様に従う構造とされた隔壁付きハブ組立体では、隔壁の外周部分に環状凹溝が形成されていることから、隔壁において環状凹溝の形成部分が薄肉とされる一方、環状凹溝の内周側の中央部分が相対的に厚肉とされる。これにより、厚肉とされた中央部分でスリットの閉状態での封止力を得ることができると共に、薄肉とされた外周部分により、例えば押し子やルアー、コネクタ等の押し入れに際しての操作性の向上が図られ得る。なお、かかる目的から、環状凹溝は隔壁において、ハブの基端側の面に設けられることが望ましい。
【発明の効果】
【００２０】
本発明に従う構造とされた隔壁付きハブ組立体では、ハブの内周側に位置して隔壁の外周部分に設けられた環状凹溝内に押し子ガイド或いは押し子の先端に設けられた保持部が入り込んでいることから、隔壁の押し子側への弾性変形、およびそれに伴うスリットの開放が制限されて、例えば逆流する血液等の漏出が効果的に抑えられ得る。
【図面の簡単な説明】
【００２１】
【図１】本発明の１実施形態としての隔壁付きハブ組立体を備える外針ユニットの全体を示す斜視図。
【図２】図１に示された外針ユニットの正面図。
【図３】図１に示された外針ユニットを拡大して示す右側面図。
【図４】図３におけるＩＶ−ＩＶ断面図。
【図５】図１に示された外針ユニットの要部を拡大して示す縦断面図。
【図６】図５におけるＶＩ−ＶＩ断面図。
【図７】図１に示された外針ユニットの隔壁付きハブ組立体を構成する隔壁を拡大して示す平面図。
【図８】図７に示された隔壁を示す底面図。
【図９】図７におけるＩＸ−ＩＸ断面図。
【図１０】図１に示された外針ユニットの基端側から雄コネクタを挿入して流体通路を連通させた状態を説明するための縦断面説明図。
【図１１】本発明の別の実施形態としての隔壁付きハブ組立体を備える外針ユニットの要部を拡大して示す縦断面図。
【図１２】本発明の更に別の実施形態としての隔壁付きハブ組立体を備える外針ユニットの要部を拡大して示す縦断面図。
【発明を実施するための形態】
【００２２】
以下、本発明の実施形態について、図面を参照しつつ説明する。
【００２３】
先ず、図１〜６には、本発明の１実施形態としての隔壁付きハブ組立体１０を備えた留置針組立体における外針ユニット１２が示されている。本実施形態の外針ユニット１２は、隔壁付きハブ組立体１０の先端に対して中空の外針１４の基端が固着された構造とされており、かかる外針ユニット１２に対して、図示しない内針を備える公知の内針ユニットが挿通されることにより、留置針組立体が構成される。
【００２４】
また、本実施形態の隔壁付きハブ組立体１０では、ハブとしての外針ハブ１６の内部に、スリット１８が形成された隔壁としてのディスク弁２０が装着されている。そして、外針ハブ１６の内部において、ディスク弁２０の基端側には筒状の押し子２２と筒状の押し子ガイド２４が設けられている。この押し子ガイド２４により、押し子２２が、外針ハブ１６の軸方向で所定距離移動可能とされており、押し子２２がディスク弁２０のスリット１８に押し入れられることで、ディスク弁２０の先端側と基端側が連通されるようにされている。
【００２５】
なお、以下の説明において、軸方向とは外針ユニット１２が構成する流体通路の長さ方向のことであって、図２中の左右方向を言う。また、先端側とは、図２中の左方を言い、基端側とは、図２中の右方を言う。
【００２６】
より詳細には、外針ハブ１６は全体として略円筒形状とされており、先端側の口径よりも基端側の口径の方が大きくされている。特に基端側の内周面は、所定長さに亘って開口部に向かって次第に拡径するテーパ形状とされている。外針ハブ１６の先端部分には、外針１４の基端が流体密に固着されている。これら外針ハブ１６と外針１４は、何れも合成樹脂材料で形成されており、特に外針ハブ１６は硬質とされている。
【００２７】
なお、外針ハブ１６の基端側開口部２６の外周面には、ねじ山が設けられたロック部２８が形成されており、外針ハブ１６の基端側開口部２６に対してルアーロック式の雄コネクタ等を接続できるようになっている。また、外針ハブ１６の外周面には、使用者が把持し易いように複数の凹部３０が形成されている。
【００２８】
また、外針ハブ１６の内周面には、長さ方向の中間部分に環状の段差３２が形成されており、段差３２よりも先端側の内径寸法が基端側の内径寸法よりも小さくされている。更に、段差３２よりも基端側の外針ハブ１６の内周面には、係合凸部３３が、周上で複数形成されている。なお、かかる係合凸部３３は、後述する押し子ガイド２４の係合凹部５０と対応する軸方向長さと突出高さを有している。
【００２９】
そして、このような外針ハブ１６の内部には、段差３２に接してディスク弁２０が配されていると共に、ディスク弁２０の外周部分に対して基端側から重ね合わされるようにして押し子ガイド２４が配されており、かかる押し子ガイド２４内に先端部分が挿入された状態で押し子２２が組み付けられている。そして、外針ハブ１６の内部において、押し子２２の先端がディスク弁２０に対して軸方向で対向配置されている。
【００３０】
かかる押し子２２は、軸方向両端が開口する略円筒形状とされており、軸方向略全長に亘って直線的にのびる通孔を形成する内周面３４を備えている。また、押し子２２の先端部分３６の外周面は、先端側に向かって次第に小径となるテーパ面形状とされている。一方、基端部分３８は、外周面が段差状に拡径されていると共に、内周面は基端側に向かって次第に拡径するテーパ形状とされている。
【００３１】
また、押し子２２の軸方向中間部分の外周面は、先端部分３６の最大外径寸法と基端部分の外径寸法との何れよりも小径とされている。これにより、押し子２２の軸方向中間部分の外周面が、周方向の全周に亘って連続して延びる凹溝４０とされている。そして、凹溝４０の先端側の壁面が、外針ハブ１６内での押し子２２の初期位置において押し子ガイド２４に係止されて軸方向に位置決めされる係止面４２とされている。
【００３２】
この押し子２２の先端部分３６が内挿されて組み付けられた押し子ガイド２４は、全体として略円筒形状とされており、軸方向略全長に亘って直線状に延びる挿通孔を形成する円形の内周面４４を備えている。押し子ガイド２４の外周面は、外針ハブ１６の内周面に嵌め入れられる嵌着面とされている。
【００３３】
また、押し子ガイド２４の内周面４４における基端部分には、内周側に突出する突出部４６が、周方向に連続した環状に形成されている。そして、この突出部４６が、押し子ガイド２４に差し入れられた押し子２２の外周面の凹溝４０内に入り込んでいる。また、押し子２２の初期位置において、押し子２２の係止面４２が突出部４６の軸方向先端の係止面４８に当接することにより、押し子２２の押し子ガイド２４からの基端側への抜け出しが阻止されて位置決めされるようになっている。
【００３４】
なお、突出部４６の内径寸法は、押し子２２の凹溝４０の底部外周面の径寸法と略同じか僅かに大きくされており、突出部４６の突出先端面により、凹溝４０の底壁面を保持させると共に、押し子ガイド２４内で押し子２２を略同軸的に支持して案内するようになっている。また、押し子ガイド２４の内径寸法は、押し子２２における先端部分３６の最大外径寸法と略等しいか僅かに大きくされている。
【００３５】
また、押し子ガイド２４の外周面は、外針ハブ１６の段差３２よりも基端側の内周面と略等しくされており、押し子ガイド２４の外周面の略全面が、外針ハブ１６の段差３２よりも基端側の内周面に対して当接状態で同軸的に保持されるようになっている。なお、押し子ガイド２４の外周面における軸方向中間部分には、周方向の全周に亘って連続して延びる係合凹部５０が設けられている。そして、外針ハブ１６の係合凸部３３と押し子ガイド２４の係合凹部５０との凹凸係合により、押し子ガイド２４が外針ハブ１６に対して軸方向で位置決めされて組み付けられている。
【００３６】
さらに、押し子ガイド２４の先端側端面５２には、内周縁部から先端側に向かって軸方向に突出する保持部５４が一体形成されている。この保持部５４は、周方向の全周に亘って連続した円筒形状とされており、後述するディスク弁２０の環状突部６０内に入り込むことで、外針ハブ１６の内周面と保持部５４の外周面とで環状突部６０を径方向で挟み込み、ディスク弁２０を保持するようになっている。
【００３７】
本実施形態では、保持部５４は、押し子ガイド２４に内挿されて係止面４８で後端側に位置決めされた押し子２２の先端よりも、更に軸方向先端側にまで突出して形成されている。そして、この保持部５４が、後述するディスク弁２０の環状凹溝５８に入り込んで、保持部５４の先端面が環状凹溝５８の底壁面に当接させられることで、ディスク弁２０の外周部分を外針ハブ１６に対して保持させるようになっている。
【００３８】
なお、上述の外針ハブ１６や押し子２２、押し子ガイド２４は、作用する外力に対して実質的に変形することなく初期形状を保ち得る程度の剛性を備えている。好適には、硬質の合成樹脂材料で形成されたものが採用され得る。
【００３９】
一方、かかる押し子ガイド２４により、外周縁部を外針ハブ１６に対して固定的に保持されて組み付けられたディスク弁２０は、図７〜９に単品状態で示されている。このディスク弁２０はゴムやエラストマーにより形成されることで弾性変形可能なディスク状の弁体とされており、厚さ寸法（図９中の上下方向寸法）が略一定とされた厚肉円形の中央部分５６には、三又形状のスリット１８が貫通して形成されている。なお、かかるスリットは、直線状や十文字形状、中心から４方向以上に延び出す放射形状であってもよい。
【００４０】
また、ディスク弁２０の基端側端面（図９中の下端面）には、外周縁近くを所定の径方向幅寸法で周方向の全周に亘って連続して延びる溝状の環状凹溝５８が形成されている。なお、本実施形態では、ディスク弁２０の単品状態での中央部分５６の外径寸法が、押し子ガイド２４の保持部５４の内径寸法と略同じか僅かに小さくされていると共に、環状凹溝５８の径方向幅寸法は、押し子ガイド２４における保持部５４の径方向幅寸法よりも大きくされている。そして、ディスク弁２０が外針ハブ１６に収容装着された状態では、環状凹溝５８が、外針ハブ１６の内周側に位置してディスク弁２０の外周部分を周方向に延び、軸方向基端側に向かって開口されている。
【００４１】
さらに、ディスク弁２０の外周縁部からは、基端側に向かって突出する環状突部６０が一体形成されている。この環状突部６０は、周方向の全周に亘って連続して形成されて略円筒形状とされており、環状凹溝５８の外周側の壁部がそのまま基端側に延長されるようにして環状突部６０が設けられている。
【００４２】
この環状突部６０の基端側端面は、中央部分５６の基端側端面よりも軸方向で基端側に大きく突出している。換言すれば、ディスク弁２０の軸方向厚さ寸法が、中央部分５６よりも外周部分の環状突部６０において大きくされている。
【００４３】
かかるディスク弁２０の単品状態での外径寸法は、外針ハブ１６における段差３２の外径寸法よりも僅かに大きくされている。これにより、ディスク弁２０が外針ハブ１６に組み付けられた状態では、ディスク弁２０に対して径方向の圧縮力が及ぼされて、スリット１８を閉鎖状態に保持する応力が与えられるようになっている。
【００４４】
上記の如き構造とされた外針ハブ１６に対して、ディスク弁２０と押し子２２と押し子ガイド２４とが組み付けられることにより、本実施形態の隔壁付きハブ組立体１０が構成されている。これらの組み付けは、例えば予めディスク弁２０と押し子２２と押し子ガイド２４とを組み付けておき、これらの組付体を、外針ハブ１６の基端側開口部２６から、係合凸部３３と係合凹部５０が係合するまで圧入することにより実現され得る。
【００４５】
組付状態における隔壁付きハブ組立体１０では、ディスク弁２０の先端面における外周端部が、外針ハブ１６における内周面の段差３２に当接している。一方、ディスク弁２０の基端面に設けられた環状突部６０の基端側端面が押し子ガイド２４の先端側端面５２に当接していると共に、環状凹溝５８の底壁面が押し子ガイド２４における保持部５４の先端面に当接している。これにより、ディスク弁２０の外周端部が、外針ハブ１６における内周面の段差３２と押し子ガイド２４の先端側端面５２および保持部５４とにより軸方向で挟持固定されている。なお、これらはゼロタッチで当接していてもよいし、押し付けられて、ディスク弁２０の外周端部が軸方向で圧縮されていてもよい。
【００４６】
かかる組付状態では、ディスク弁２０が外針ハブ１６の内周面により径方向で圧縮されることから、環状突部６０の内外周面が保持部５４の外周面および外針ハブ１６の内周面に押し付けられて圧縮される。また、ディスク弁２０の環状凹溝５８の内周側の壁面と押し子ガイド２４の保持部５４の内周面との径方向間には、径方向に広がって周方向の全周に亘って連続する円環形状の隙間６２が形成される。
【００４７】
さらに、上記の如き組付状態では、ディスク弁２０の中央部分５６の基端面と押し子２２の先端面とが当接していることが好適である。これにより、押し子２２の先端側の位置を規定することができて、押し子２２がディスク弁２０と押し子ガイド２４との間で軸方向で位置決めされ得ると共に、押し子２２が軸方向に対して傾くおそれが低減され得る。
【００４８】
上記の如き構造とされた隔壁付きハブ組立体１０の先端に対して、外針１４の基端が固着されることにより、本実施形態の外針ユニット１２が構成されている。外針１４としては、従来公知のものが採用され得て、例えば特許文献１に示されるようにステンレス鋼などにより形成された金属製の中空針とされてもよいが、適度な可撓性を有する材料、例えば各種の軟質樹脂により形成されてもよい。また、外針１４の先端部には、先細となるテーパ状外周面６４が形成されて、生体への穿刺抵抗が軽減されていると共に、外針１４の先端部の周壁には、複数の貫通孔６６が設けられて、外針１４に対する流体の流通効率の向上が図られている。
【００４９】
さらに、かかる外針ユニット１２に対して、内針を備える内針ユニットを挿通することにより、留置針組立体が構成される。この内針ユニットとしては、例えば特開２０１２−１３０５２３号公報に記載の内針ハブ（１２）から内針（１０）が延び出している構造などが挙げられる。尤も、上記公報に記載の内針ハブ（１２）には針先保護用プロテクタ（７８）が設けられているが、このような針先保護のための構造は必須ではない。また、内針は中実針であってもよい。なお、外針ユニット１２に対して内針ユニットを挿通することにより、内針がディスク弁２０の中央部分５６のスリット１８に挿通されるが、押し子２２の位置は図４等に示される初期位置に位置しており、ディスク弁２０が大きく弾性変形させられることはない。
【００５０】
上記の如き構造とされた留置針組立体を使用するに際しては、先ず、留置針組立体を患者の血管に穿刺した後、内針ユニットを外針ユニット１２から基端側に引き抜くことにより、外針ユニット１２を患者の血管に穿刺された状態で留置する。その際、ディスク弁２０から内針が抜去されることにより、ディスク弁２０が初期形状に復元されて、スリット１８が閉鎖される。これにより、患者の血液が、外針ユニット１２内において、ディスク弁２０より基端側へ逆流して漏れ出すことが防止され得る。
【００５１】
そして、図１０に示されているように、外針ユニット１２の基端側から雄コネクタであるシリンジ６８の先端部分を挿入して、外針ユニット１２の基端側開口部２６に対して解除可能にテーパ係合して接続させる。または、雄コネクタとしてルアーロックコネクタが採用される場合には、ロック部２８に対してねじ固定して接続させる。これに伴い、押し子２２がシリンジ６８の先端部分により軸方向先端側に押し込まれると共に、押し子２２の先端部分３６がディスク弁２０のスリット１８に押し入れられる。この結果、ディスク弁２０の中央部分５６が軸方向先端側に弾性変形し、スリット１８が開放されて、ディスク弁２０の基端側と先端側が連通する。これにより、シリンジ６８の内部領域から外針ユニット１２の内部を経て、患者の血管内へと至る流体通路７０が構成される。かかる流体通路７０を通じて、輸液や輸血、採血等が実施される。
【００５２】
なお、押し子２２が軸方向先端側に押し込まれる際には、押し子２２の外周面が、押し子ガイド２４、および押し子ガイド２４に設けられた突出部４６の内周面にゼロタッチで当接、または僅かな離隔距離を隔てて離隔していることから、押し子２２は、押し子ガイド２４の内周面に沿って移動して軸方向先端側のディスク弁２０に押し込まれる。或いは、軸方向に対して傾斜したとしても、僅かな傾斜角度をもって、押し子２２がディスク弁２０に押し込まれる。
【００５３】
そして、治療後、または治療中断時には、シリンジ６８を外針ユニット１２の基端側開口部２６から引き抜くことにより、ディスク弁２０が初期形状に復元変形すると共に、この弾性復元力によって押し子２２が基端側に押し戻される。かかる押し子２２の基端側への移動は、ディスク弁２０が初期形状に復元するか、押し子２２と押し子ガイド２４のそれぞれの係止面４２，４８が当接することによって制限される。かかる操作は片手で行うことができて医療従事者の労力を軽減させ得るだけでなく、他の治療も同時に行うことができることから、治療の効率も向上させることができる。
【００５４】
上記の如き構造とされた本実施形態の隔壁付きハブ組立体１０では、ディスク弁２０の外周端部が、外針ハブ１６の内周面に設けられた段差３２と押し子ガイド２４との軸方向間で挟持されるだけでなく、ディスク弁２０に設けられた環状突部６０が、押し子ガイド２４の先端に設けられた保持部５４と外針ハブ１６との径方向間でも挟持される。これにより、ディスク弁２０が外針ハブ１６に対して安定して支持されて、シリンジ６８の挿入時において、ディスク弁２０に対して軸方向先端側への押込力が及ぼされても、外針ハブ１６からのディスク弁２０の位置ずれや脱落のおそれが低減され得る。
【００５５】
また、保持部５４の先端がディスク弁２０の環状凹溝５８内に入り込むことから、例えば血圧によりディスク弁２０が軸方向基端側に膨らんで弾性変形する場合にも、かかる弾性変形が効果的に制限される。即ち、ディスク弁２０が軸方向基端側に弾性変形する際には、環状凹溝５８の内周側壁面と保持部５４の内周面とが当接して、それ以上の弾性変形が制限される。これにより、ディスク弁２０が軸方向基端側へ弾性変形してスリット１８が開放されることによる血液の漏出が、効果的に防止され得る。
【００５６】
しかも、環状凹溝５８の内周側壁面である中央部分５６の外周面が保持部５４の内周面へ当接することによるストッパ作用に基づいて、ディスク弁２０の軸方向基端側へ膨らむ変形量が抑えられることから、ディスク弁２０の中央部分５６の厚さ寸法を過度に大きくしなくても、血圧作用等に起因するスリット１８の不用意な開放による血液の逆流などの不具合が防止され得る。それ故、ディスク弁２０の中央部分５６では、軸方向基端側へ膨らむ際の変形抵抗力に比して、軸方向先端側へ膨らむ際の変形抵抗力を十分に小さく設定することができる。その結果、ディスク弁２０の中央部分５６に押し子２２を押し当ててスリット１８を開放させる通常の連通操作に際して、押し子２２に及ぼされるディスク弁２０の弾性反力を小さく抑えて良好な操作性を得ることが、上述の血液逆流等の防止効果と両立して、実現可能になる。
【００５７】
さらに、本実施形態では、ディスク弁２０における環状突部６０の内外周面が、押し子ガイド２４における保持部５４の外周面と外針ハブ１６の内周面とに押し付けられて、圧縮状態で保持されていることから、環状突部６０と外針ハブ１６および保持部５４との摩擦を大きくすることができて、外針ハブ１６からのディスク弁２０の位置ずれや脱落が一層効果的に防止され得る。
【００５８】
更にまた、本実施形態のディスク弁２０では、中央部分５６の軸方向厚さ寸法に比べて、環状突部６０の形成部位における軸方向厚さ寸法が大きくされており、即ち、中央部分５６の厚さ寸法を小さく抑えつつ環状突部６０の厚さ寸法を大きくしている。これにより、環状突部６０によるディスク弁２０の支持力が十分に確保されると共に、シリンジ６８挿入時における中央部分５６の弾性変形の容易性も十分に確保される。
【００５９】
特に、本実施形態では、保持部５４と環状凹溝５８の内周側壁面との間には隙間６２が設けられていることから、押し子２２がディスク弁２０の中央部分５６に押し付けられて弾性変形し始める際において、かかる弾性変形が隙間６２で吸収されることで、ディスク弁２０の保持部５４への押し付けに起因するディスク弁２０の開放操作時の変形抵抗が軽減されて、中央部分５６の拡径変形が容易に許容される。これにより、中央部分５６の弾性変形の容易性、即ちシリンジ６８の挿入容易性が向上され得る。また、かかる隙間６２により、ディスク弁２０や押し子ガイド２４などの各部材において、要求される寸法精度を軽減することができて、これら各部材の製造が容易とされ得る。
【００６０】
以上、本発明の実施形態について詳述してきたが、本発明はその具体的な記載によって限定されることなく、当業者の知識に基づいて種々なる変更，修正，改良などを加えた態様で実施され得るものであり、また、そのような実施態様も、本発明の趣旨を逸脱しない限り、何れも本発明の範囲内に含まれる。
【００６１】
例えば、前記実施形態では、隔壁付きハブ組立体１０の先端に外針１４が固着されており、かかる外針ユニット１２に対して内針ユニットが挿通されて留置針組立体が構成されていたが、隔壁付きハブ組立体１０の先端にはカテーテルやチューブが固着されることにより、外針ユニットに対して内針ユニットが挿通されて留置用カテーテル組立体などが構成されてもよい。このような留置用カテーテル組立体などにおいても、ハブの内部に装着された隔壁の位置ずれや脱落が効果的に防止され得る。
【００６２】
また、前記実施形態では、保持部５４の突出先端面と環状凹溝５８の底壁面とが当接していたが、保持部５４が環状凹溝５８に入り込んでいれば、これらの面が当接している必要はない。
【００６３】
さらに、保持部５４の外周面には外周側に突出する突部を設けてもよい。かかる突部によりディスク弁２０の環状突部６０を更に圧縮して保持することで、ディスク弁２０が外針ハブ１６に対して一層確実に保持され得る。
【００６４】
さらに、本発明において、保持部５４の内周面とディスク弁２０の環状凹溝５８における内周側の壁面との隙間６２は必須なものではない。即ち、隔壁付きハブ組立体１０の組立状態において、保持部５４の内周面とディスク弁２０の中央部分５６における外周面は当接していてもよく、これにより、ディスク弁２０が基端側に弾性変形させられることが一層制限されて、血液の漏出防止作用が更に効果的に発揮され得る。
【００６５】
また、前記実施形態では、環状突部６０、保持部５４、環状凹溝５８などは周方向の全周に亘って連続して形成されていたが、それらの少なくとも一つを周方向で断続的に形成することも可能である。
【００６６】
なお、ハブ組立体に装着される隔壁は、例えば前記特許文献１に記載のバルブ（１４０）の如き略管状の側壁（１４７）が一体形成された円板形状の弾性体（シール１４２）に対して環状凹溝が設けられた構造とされてもよいし、円板形状の弾性体に対して環状凹溝を設けて、中央部分の軸方向基端面と環状突部の軸方向基端面とが同一平面上に位置するようにしてもよい。
【００６７】
さらに、前記実施形態では、環状突部６０は軸方向に延びる略円筒形状とされていたが、例えば環状突部の内周面や外周面から径方向に延び出す突起などが設けられてもよい。
【００６８】
また、前記実施形態では、ディスク弁２０には、外周縁部に環状突部６０が設けられると共に、当該環状突部６０の内周に沿って基端側に開口する環状凹溝５８が形成されていたが、かかる態様に限定されない。例えば、図１１に示されているように、ディスク弁２０において、基端側面の外周縁部に基端側および外周側に開口して周方向に延びる周溝７２を設けても良い。このようなディスク弁２０では、外針ハブ１６の内周に組み付けられることにより周溝７２の外周側が外針ハブ１６の周壁で覆蓋される。その結果、ディスク弁２０の外周部分を外針ハブ１６の内周側に位置して周方向に延びる環状凹溝７４が、軸方向基端側に開口して形成されている。即ち、この環状凹溝７４は、溝内周側の周壁部がディスク弁２０の中央部分５６で構成されていると共に、溝外周側の周壁部が外針ハブ１６の周壁で構成されており、ディスク弁２０と外針ハブ１６によって協働して環状凹溝７４が形成されているのである。このような環状凹溝７４には、前記実施形態における環状凹溝５８と同様に、押し子ガイド２４の保持部５４が軸方向に入り込んだ状態で、外針ハブ１６内に組み付けられており、かかる組付状態下では、前記実施形態と同様に、環状凹溝７４の内周側の周壁部である中央部分５６の保持部５４への当接によるストッパ作用に基づいて、血液逆流等の防止効果が有効に発揮され得る。このことから明らかなように、本発明において、ディスク弁２０における環状突部６０は必須な構成でない。
【００６９】
さらに、前記実施形態では、ディスク弁２０の環状凹溝５８に押し子ガイド２４の保持部５４が入り込む一方、ディスク弁２０の中央部分５６の基端面と押し子２２の先端面とが当接していたが、かかる態様に限定されない。即ち、例えば図１２に示されているように、押し子７６の軸方向最先端に保持部７８が設けられて、ディスク弁８０の環状凹溝８２に入り込むようにしてもよい。かかる図１２に示される態様では、押し子７６の先端部分３６の先端面から軸方向先端側に突出する筒形の保持部７８が形成されていると共に、環状凹溝８２の内径寸法が保持部７８の内径寸法より小さくされている。これにより、環状凹溝８２内に押し子７６の保持部７８が入り込んで、環状凹溝８２の底壁面と押し子７６の保持部７８における先端面とが当接している。この結果、環状凹溝８２の内周側の周壁部である中央部分５６の、押し子７６の保持部７８への当接によるストッパ作用に基づいて、血液逆流等の防止効果が有効に発揮され得る。また、図１２に示される態様では、ディスク弁８０の環状凹溝８２の内周側の壁面と押し子７６の保持部７８の内周面との径方向間には、径方向に広がって周方向の全周に亘って連続する円環形状の隙間８４が形成されている。なお、かかる態様では、押し子ガイド２４の保持部５４も環状凹溝８２内に入り込んでいるが、その必要はなく、ディスク弁８０の環状突部６０や押し子ガイド２４の保持部５４は形成されなくてもよい。また、環状凹溝８２の底壁面と、押し子７６の保持部７８における先端面とは当接する必要はなく、環状凹溝８２内に押し子７６の保持部７８が入り込んでいればよい。
【００７０】
なお、本発明では、押し子や押し子ガイドを採用しない態様も採用され得る。即ち、かかる隔壁付きハブ組立体では、外針ハブの基端側開口部からシリンジ等の雄ルアーの先端等が挿入されて押し込まれることによって、隔壁としてのディスク弁が弾性変形してスリットが開放されるようにされる。このようなディスク弁では、外周部分における環状凹溝の形成部分が薄肉とされている一方、環状凹溝の内周側の中央部分が相対的に厚肉とされている。なお、ディスク弁の外周縁部を外針ハブへ支持させるために、前記実施形態の押し子ガイドに代えて、固定リングを設けたり、ディスク弁の外周を接着等してもよい。
【００７１】
なお、本発明に採用される、隔壁に設けられるスリットは、先端側の開口寸法（前記各実施形態におけるスリットの径方向長さ）よりも基端側の開口寸法が大きくされることが好ましい。これにより、血液が逆流する際においてもスリットを開放されにくくすることができて、血圧に対する耐圧性を向上させることができる。
【符号の説明】
【００７２】
１０：隔壁付きハブ組立体、１６：外針ハブ（ハブ）、１８：スリット、２０，８０：ディスク弁（隔壁）、２２，７６：押し子、２４：押し子ガイド、５４，７８：保持部、５６：中央部分、５８，７４，８２：環状凹溝、６０：環状突部、６２，８４：隙間、７０：流体通路
【図１】
2019022861.tif 000003
【図２】
2019022861.tif 000004
【図３】
2019022861.tif 000005
【図４】
2019022861.tif 000006
【図５】
2019022861.tif 000007
【図６】
2019022861.tif 000008
【図７】
2019022861.tif 000009
【図８】
2019022861.tif 000010
【図９】
2019022861.tif 000011
【図１０】
2019022861.tif 000012
【図１１】
2019022861.tif 000013
【図１２】
2019022861.tif 000014
【手続補正書】
【提出日】平成30年12月26日(2018.12.26)
【手続補正１】
【補正対象書類名】特許請求の範囲
【補正対象項目名】全文
【補正方法】変更
【補正の内容】
【特許請求の範囲】
【請求項１】
流体通路を構成するハブの内部にスリット付きの隔壁が装着されていると共に、該隔壁に対して一方の側に筒状の押し子が配されて、該ハブの内周に組み付けられた押し子ガイドにより該押し子が該流体通路の長さ方向で所定距離移動可能とされており、該押し子が該隔壁の該スリットに押し入れられることで該隔壁が連通されるようになっている隔壁付きハブ組立体において、
前記隔壁はディスク状に形成されて、該隔壁の外周部分には前記ハブの内周側に位置して周方向に延びる環状凹溝が前記ハブの基端側の面に開口して形成されており、該環状凹溝よりも内周に位置する中央部分に前記スリットが形成されている一方、
前記ハブの内周面に形成された段差に対して、該ハブの基端側から該隔壁の外周縁部が重ね合わされて位置決めされていると共に、
前記押し子ガイドにおける該隔壁側の軸方向先端部或いは前記押し子における該隔壁側の軸方向先端部において該環状凹溝内に入り込む保持部が形成されていることを特徴とする隔壁付きハブ組立体。
【請求項２】
前記隔壁の径方向において、前記環状凹溝の溝幅が、前記段差への重ね合わせ部分の内周端に対して内周側と外周側との両方に広がる大きさとされている請求項１に記載の隔壁付きハブ組立体。
【請求項３】
前記隔壁の前記中央部分の外周面が、該環状凹溝内に入り込んだ前記保持部の内周面に対して径方向で対向位置する請求項１又は２に記載の隔壁付きハブ組立体。
【請求項４】
前記保持部が前記押し子ガイドにおける前記隔壁側の軸方向先端部に形成されており、  該隔壁の外周部分において前記流体流路の長さ方向で前記押し子側に向かって突出する環状突部が形成されていると共に、前記環状凹溝が該環状突部の内周に沿って形成されており、
該保持部と前記ハブの内周面との間で該隔壁の該環状突部が保持されている請求項１〜３の何れか１項に記載の隔壁付きハブ組立体。
【請求項５】
前記流体通路の長さ方向において、前記中央部分よりも前記環状突部のほうが大きく突出している請求項４に記載の隔壁付きハブ組立体。
【請求項６】
前記押し子ガイドの前記保持部と前記ハブとの間で前記隔壁の前記環状突部が圧縮状態で保持されている請求項４又は５に記載の隔壁付きハブ組立体。
【請求項７】
前記環状凹溝に挿し入れられた前記押し子ガイド或いは前記押し子の前記保持部と、該環状凹溝の内周側の壁面との間には、隙間がある請求項１〜６の何れか１項に記載の隔壁付きハブ組立体。
【請求項８】
流体通路を構成するハブの内部にスリット付きの隔壁が装着されており、ハブの基端側から雄ルアー等が挿入されることによって、該隔壁のスリットが開かれるようになっている隔壁付きハブ組立体において、
前記隔壁はディスク状に形成されて、前記ハブの内周面に形成された段差に対して、該ハブの基端側から該隔壁の外周縁部が重ね合わされて位置決めされている一方、
該隔壁の外周部分には前記ハブの内周側に位置して周方向に延びる環状凹溝が前記ハブの基端側の面に開口して形成されており、該環状凹溝よりも内周に位置する中央部分に前記スリットが形成されていることを特徴とする隔壁付きハブ組立体。
【請求項９】
前記隔壁の径方向において、前記環状凹溝の溝幅が、前記段差への重ね合わせ部分の内周端に対して内周側と外周側との両方に広がる大きさとされている請求項８に記載の隔壁付きハブ組立体。
【請求項１０】
前記環状凹溝に対して別の部材が入り込む請求項８又は９に記載の隔壁付きハブ組立体。
【請求項１１】
前記隔壁の前記中央部分の外周面が、該環状凹溝内に入り込んだ前記別の部材の内周面に対して径方向で対向位置する請求項１０に記載の隔壁付きハブ組立体。
【手続補正２】
【補正対象書類名】明細書
【補正対象項目名】０００８
【補正方法】変更
【補正の内容】
【０００８】
本発明の第１の態様は、流体通路を構成するハブの内部にスリット付きの隔壁が装着されていると共に、該隔壁に対して一方の側に筒状の押し子が配されて、該ハブの内周に組み付けられた押し子ガイドにより該押し子が該流体通路の長さ方向で所定距離移動可能とされており、該押し子が該隔壁の該スリットに押し入れられることで該隔壁が連通されるようになっている隔壁付きハブ組立体において、前記隔壁はディスク状に形成されて、該隔壁の外周部分に周方向に延びる環状凹溝が前記ハブの基端側の面に開口して形成されており、該環状凹溝よりも内周に位置する中央部分に対して前記スリットが形成されている一方、前記ハブの内周面に形成された段差に対して、該ハブの基端側から該隔壁の外周縁部が重ね合わされて位置決めされていると共に、前記押し子ガイドにおける該隔壁側の軸方向先端部或いは前記押し子における該隔壁側の軸方向先端部において該環状凹溝内に入り込む保持部が形成されていることを、特徴とする。
【手続補正３】
【補正対象書類名】明細書
【補正対象項目名】０００９
【補正方法】変更
【補正の内容】
【０００９】
本態様に従う構造とされた隔壁付きハブ組立体では、ディスク状の隔壁において、押し子ガイド側に開口する環状凹溝が形成されていると共に、当該環状凹溝内に押し子ガイドの先端に設けられた保持部または押し子の先端に設けられた保持部が入り込んでいる。これにより、例えばハブ組立体の先端に外針が固着されて、留置針組立体における外針ユニットとして使用される場合において、かかる外針ユニットが患者の血管に穿刺された状態で留置されて、血圧により隔壁が押し子側に膨らむように弾性変形させられる際にも、環状凹溝の内周側壁面と押し子ガイドまたは押し子の保持部における内周面とが当接することで、それ以上の隔壁の弾性変形が制限される。これにより、隔壁のスリットを安定して閉鎖することができて、隔壁からの血液の漏出が効果的に防止され得る。また、本発明の第２の態様は、前記第１の態様に係る隔壁付きハブ組立体であって、前記隔壁の径方向において、前記環状凹溝の溝幅が、前記段差への重ね合わせ部分の内周端に対して内周側と外周側との両方に広がる大きさとされているものである。本発明の第３の態様は、前記第１又は第２の態様に係る隔壁付きハブ組立体であって、前記隔壁の前記中央部分の外周面が、該環状凹溝内に入り込んだ前記保持部の内周面に対して径方向で対向位置するものである。
【手続補正４】
【補正対象書類名】明細書
【補正対象項目名】００１０
【補正方法】変更
【補正の内容】
【００１０】
本発明の第４の態様は、前記第１〜第３の何れかの態様に係る隔壁付きハブ組立体であって、前記保持部が前記押し子ガイドにおける前記隔壁側の軸方向先端部に形成されており、該隔壁の外周部分において前記流体流路の長さ方向で前記押し子側に向かって突出する環状突部が形成されていると共に、前記環状凹溝が該環状突部の内周に沿って形成されており、該保持部と前記ハブの内周面との間で該隔壁の該環状突部が保持されているものである。
【手続補正５】
【補正対象書類名】明細書
【補正対象項目名】００１２
【補正方法】変更
【補正の内容】
【００１２】
本発明の第５の態様は、前記第４の態様に係る隔壁付きハブ組立体であって、前記流体通路の長さ方向において、前記中央部分よりも前記環状突部のほうが大きく突出しているものである。
【手続補正６】
【補正対象書類名】明細書
【補正対象項目名】００１４
【補正方法】変更
【補正の内容】
【００１４】
本発明の第６の態様は、前記第４又は第５の態様に係る隔壁付きハブ組立体において、前記押し子ガイドの前記保持部と前記ハブとの間で前記隔壁の前記環状突部が圧縮状態で保持されているものである。
【手続補正７】
【補正対象書類名】明細書
【補正対象項目名】００１６
【補正方法】変更
【補正の内容】
【００１６】
本発明の第７の態様は、前記第１〜第６の何れかの態様に係る隔壁付きハブ組立体であって、前記環状凹溝に挿し入れられた前記押し子ガイド或いは前記押し子の前記保持部と、該環状凹溝の内周側の壁面との間には、隙間があるものである。
【手続補正８】
【補正対象書類名】明細書
【補正対象項目名】００１８
【補正方法】変更
【補正の内容】
【００１８】
本発明の第８の態様は、流体通路を構成するハブの内部にスリット付きの隔壁が装着されており、ハブの基端側から雄ルアー等が挿入されることによって、該隔壁のスリットが開かれるようになっている隔壁付きハブ組立体において、前記隔壁はディスク状に形成されて、前記ハブの内周面に形成された段差に対して、該ハブの基端側から該隔壁の外周縁部が重ね合わされて位置決めされている一方、該隔壁の外周部分には前記ハブの内周側に位置して周方向に延びる環状凹溝が前記ハブの基端側の面に開口して形成されており、該環状凹溝よりも内周に位置する中央部分に前記スリットが形成されていることを特徴とする、ものである。
【手続補正９】
【補正対象書類名】明細書
【補正対象項目名】００１９
【補正方法】変更
【補正の内容】
【００１９】
本態様に従う構造とされた隔壁付きハブ組立体では、隔壁の外周部分に環状凹溝が形成されていることから、隔壁において環状凹溝の形成部分が薄肉とされる一方、環状凹溝の内周側の中央部分が相対的に厚肉とされる。これにより、厚肉とされた中央部分でスリットの閉状態での封止力を得ることができると共に、薄肉とされた外周部分により、例えば押し子やルアー、コネクタ等の押し入れに際しての操作性の向上が図られ得る。なお、かかる目的から、環状凹溝は隔壁において、ハブの基端側の面に設けられることが望ましい。また、本発明の第９の態様は、前記第８の態様に係る隔壁付きハブ組立体であって、前記隔壁の径方向において、前記環状凹溝の溝幅が、前記段差への重ね合わせ部分の内周端に対して内周側と外周側との両方に広がる大きさとされているものである。本発明の第１０の態様は、前記第８又は第９の態様に係る隔壁付きハブ組立体であって、前記環状凹溝に対して別の部材が入り込むものである。本発明の第１１の態様は、前記第１０の態様に係る隔壁付きハブ組立体であって、前記隔壁の前記中央部分の外周面が、該環状凹溝内に入り込んだ前記別の部材の内周面に対して径方向で対向位置するものである。